(57)【要約】【課題】機能部品毎にユニット化を行い、各ユニットの組み合わせにより１台の空調装置を構成することができる空調装置を提供すること。【解決手段】空気吸入口１と空気排出口２とが形成された筐体３と、空気吸入口１に配設された冷却コイル４及び冷凍機７と、冷却コイル４の下流側に配設された電気ヒータ５と、空気排出口２から筐体３内の空気を排出する送風機６とを備えた空調装置において、各機能部品４、５、６、７を独立した筐体３１、３２、３３内に配設して構成したユニットＡ、Ｂ、Ｃとしてユニット化し、各ユニットＡ、Ｂ、Ｃと、各機能部品４、５、６、７を統括的に制御する制御ユニットＤとを組み合わせて１台の空調装置を組み立てるようにする。【選択図】図１
2007271253.tif 000002
【特許請求の範囲】
【請求項１】
空気吸入口と空気排出口とが形成された筐体と、空気吸入口に配設された冷却コイル及び冷凍機と、冷却コイルの下流側に配設された電気ヒータと、空気排出口から筐体内の空気を排出する送風機とを備えた空調装置において、前記各機能部品を独立した筐体内に配設して構成したユニットとしてユニット化し、各ユニットと、前記各機能部品を統括的に制御する制御ユニットとを組み合わせて１台の空調装置を組み立てるようにしたことを特徴とする空調装置。
【請求項２】
各ユニットを構成する筐体の枠部材を、隣接するユニット間に掛け渡すように配設した共通の枠部材にボルト・ナットを用いて固定することにより、ユニット同士を接合するようにしたことを特徴とする請求項１記載の空調装置。
【発明の詳細な説明】
【技術分野】
【０００１】
本発明は、空調装置に関し、特に、機能部品毎にユニット化を行い、各ユニットの組み合わせにより１つの空調装置を構成することができる空調装置に関するものである。
【背景技術】
【０００２】
従来、空調装置は、例えば、図６に示すように、空気吸入口１と空気排出口２とが形成された筐体３と、空気吸入口１に配設された冷却コイル４と、冷却コイル４の下流側に配設された電気ヒータ５と、空気排出口２から筐体３内の空気を排出する送風機６と、空気排出口２に配設された温度センサ（図示省略）とを備え、空気吸入口１から冷却コイル４により冷却しながら取り入れた外気を、下流側に配設した電気ヒータ５によって精密に設定温度に調節し、空気排出口２から排出するようにしている。
【０００３】
ところで、このような空調装置において、例えば、風量を２倍にする場合、図６に点線で示すように、冷却コイル４や冷凍機７、電気ヒータ５をそれぞれ２倍の能力に変更している。
すなわち、上記従来の空調装置では、単一の筐体内部に、冷却コイルや電気ヒータ、送風機など、すべての機器が設置されており、所要風量を増加させる場合等の仕様変更や特殊仕様への対応は、本体構造の変更や再設計が必要で新規製作品となり、多品種少量生産には向かず、また、コストアップにつながったり、短納期対応が困難であるという問題も有している。
【発明の開示】
【発明が解決しようとする課題】
【０００４】
本発明は、上記従来の空調装置が有する問題点に鑑み、機能部品毎にユニット化を行い、各ユニットの組み合わせにより１台の空調装置を構成することができる空調装置を提供することを目的とする。
【課題を解決するための手段】
【０００５】
上記目的を達成するため、本発明の空調装置は、空気吸入口と空気排出口とが形成された筐体と、空気吸入口に配設された冷却コイル及び冷凍機と、冷却コイルの下流側に配設された電気ヒータと、空気排出口から筐体内の空気を排出する送風機とを備えた空調装置において、前記各機能部品を独立した筐体内に配設して構成したユニットとしてユニット化し、各ユニットと、前記各機能部品を統括的に制御する制御ユニットとを組み合わせて１台の空調装置を組み立てるようにしたことを特徴とする。
【０００６】
この場合において、各ユニットを構成する筐体の枠部材を、隣接するユニット間に掛け渡すように配設した共通の枠部材にボルト・ナットを用いて固定することによりユニット同士を接合するようにすることができる。
【発明の効果】
【０００７】
本発明の空調装置によれば、空気吸入口と空気排出口とが形成された筐体と、空気吸入口に配設された冷却コイル及び冷凍機と、冷却コイルの下流側に配設された電気ヒータと、空気排出口から筐体内の空気を排出する送風機とを備えた空調装置において、前記各機能部品を独立した筐体内に配設して構成したユニットとしてユニット化し、各ユニットと、前記各機能部品を統括的に制御する制御ユニットとを組み合わせて１台の空調装置を組み立てるようにしたことから、所要風量を増加させる場合等の仕様変更や設計変更がユニット毎に可能となり、機種の整理や多品種少量生産が容易になってコストダウンができ、また、ユニット毎に製作ができるため、同時進行の並行作業による納期短縮が可能となり、さらに、ユニット毎に在庫をもつことも可能になる。
【０００８】
また、各ユニットを構成する筐体の枠部材を、隣接するユニット間に掛け渡すように配設した共通の枠部材にボルト・ナットを用いて固定することにより、ユニット同士を接合するようにすることにより、空調装置の組み立てや分解を簡易に行うことができる。
【発明を実施するための最良の形態】
【０００９】
以下、本発明の空調装置の実施の形態を、図面に基づいて説明する。
【００１０】
図１に、本発明の空調装置の一実施例を示す。
この空調装置は、空気吸入口１と空気排出口２とが形成された筐体３と、空気吸入口１に配設された冷却コイル４及び冷凍機７と、冷却コイル４の下流側に配設された電気ヒータ５と、空気排出口２から筐体３内の空気を排出する送風機６とを備えている。
そして、この空調装置は、機能部品である、冷却コイル４及び冷凍機７と、電気ヒータ５と、送風機６とを、独立した筐体３１、３２、３３内に配設して構成したユニットＡ、Ｂ、Ｃとしてユニット化し、各ユニットＡ、Ｂ、Ｃと、各機能部品４、５、６、７を統括的に制御する制御ユニットＤとを組み合わせて１台の空調装置を組み立てるようにしたものである。
【００１１】
冷凍機ユニットＡを構成する下部筐体３１は、空気吸入口１を形成するとともに、その内部に冷却コイル４及び冷凍機７を配設してなる。
ここで、冷凍機７は、冷却コイル４に冷媒を循環供給することにより、空気吸入口１から導入した空気を冷却するものである。
【００１２】
送風機ユニットＢを構成する中間部筐体３２は、下部筐体３１に連通されるとともにその内部に送風機６を配設してなる。
送風機６は、下部の冷凍機ユニットＡの冷却コイル４で冷却された外気を上部のヒータユニットＣに供給するものである。
空調装置の風量は、この送風機６の出力を手動で切り替えることにより複数の段階に設定することができる。
【００１３】
ヒータユニットＣを構成する上部筐体３３は、中間部筐体３２に連通されるとともに、空気排出口２を形成し、その内部に電気ヒータ５を配設してなる。
電気ヒータ５は、送風機６から吹き出される空気を最終的に調温し、空気排出口２からクリーンブース等（図示省略）に向けて排出する空気の温度を精密に制御するものである。
電気ヒータ５の下流側には、温度センサ（図示省略）が設置されており、この温度センサが検出する空気の温度と設定温度に基づいて、冷却コイル４と電気ヒータ５の出力が制御される。
【００１４】
制御ユニットＤは、冷凍機ユニットＡ、送風機ユニットＢ及びヒータユニットＣの各機能部品、すなわち、冷却コイル４、電気ヒータ５、送風機６及び冷凍機７を統括的に制御するもので、本実施例では、中間部筐体３２の横に配設されている。
【００１５】
このように、本実施例の空調装置は、空調装置に必要とされる機能部品、すなわち、冷却コイル４、電気ヒータ５、送風機６及び冷凍機７を、その機能毎にグループ化して独立した筐体３１、３２、３３内に配設して構成したユニットＡ、Ｂ、Ｃとしてユニット化し、各ユニットＡ、Ｂ、Ｃと、各機能部品４、５、６、７を統括的に制御する制御ユニットＤとを組み合わせて１台の空調装置を組み立てるようにしている。
そして、例えば、冷凍機ユニットＡを３種類、送風機ユニットＢ、ヒータユニットＣ及び制御ユニットＤをそれぞれ２種類、予め用意しておき、これら４つのユニットを組み合わせることにより、全２４種類の空調装置が標準的に製作可能となる。
また、ユニット毎の製作が可能であるため、製作が同時に進行し短納期対応が可能であり、ユニット毎に在庫をもつことも可能である。
【００１６】
本実施例の空調装置は、空気吸入口１と空気排出口２とが形成された筐体３と、空気吸入口１に配設された冷却コイル４及び冷凍機７と、冷却コイル４の下流側に配設された電気ヒータ５と、空気排出口２から筐体３内の空気を排出する送風機６とを備えた空調装置において、各機能部品４、５、６、７を独立した筐体３１、３２、３３内に配設して構成したユニットＡ、Ｂ、Ｃとしてユニット化し、各ユニットＡ、Ｂ、Ｃと、各機能部品４、５、６、７を統括的に制御する制御ユニットＤとを組み合わせて１台の空調装置を組み立てるようにしているので、所要風量を増加させる場合等の仕様変更や設計変更がユニット毎に可能となり、機種の整理や多品種少量生産が容易になってコストダウンができ、また、ユニット毎に製作ができるため、同時進行の並行作業による納期短縮が可能となり、さらに、ユニット毎に在庫をもつことも可能になる。
【００１７】
さらに、図２〜図３に示すように、空調装置の各ユニットを構成する筐体、例えば、下部筐体３１及び中間部筐体３２は、それぞれの筐体を形成する枠部材８１ａ、８２ａを、下部筐体３１と中間部筐体３２とに掛け渡すように配設した共通の枠部材８３にボルト・ナット９を用いて固定することにより接合するようにしている。
これにより、空調装置の組み立てや分解を簡易に行うことができるものとなる。
この場合、枠部材８１ａ、８２ａの所定位置に予めボルト挿通孔を形成しておくことにより、ユニット同士を接合するときの接合や位置決めを容易に行うことができる。
【００１８】
また、この空調装置においては、それぞれの筐体を形成する枠部材のうち、他のユニットが隣接しない枠部材８１ｂ、８２ｂに、外縁側を曲面（アール）に形成した外縁用枠部材８４を、直接又はＬ形鋼等の補助部材８５を介して、ボルト・ナット９を用いて固定するようにしている。
これにより、空調装置の角張った部分をなくし、安全性と意匠性を向上することができる。
【００１９】
この場合、枠部材８１ａ、８１ｂ、８２ａ、８２ｂ、８３、８４には、アルミニウム等の押し出し成形部材を好適に用いることができる。
【００２０】
また、この空調装置においては、制御ユニットＤによって、冷凍機ユニットＡ、送風機ユニットＢ及びヒータユニットＣの各機能部品、すなわち、冷却コイル４、電気ヒータ５、送風機６及び冷凍機７を統括的に制御するための電線Ｗを、隣接するユニット同士を仕切る仕切り板（各ユニットを構成する筐体の板材）に形成した電線挿通孔Ｈｗ等を通して配線できるようにしている。
この場合、電線Ｗの配線作業は、ビス等の金具によって開閉可能に構成した各ユニットを構成する筐体の側板、例えば、筐体３１、３２の側板３１ａ、３２ａ、３２ｂ（図２（ａ）参照）を開いて行うことができる。
なお、各ユニットの各機能部品と制御ユニットＤとを接続する電線Ｗを、上記説明とは逆に、各ユニット側から制御ユニットＤに到るように延出させておき、ユニットの組み換え時に各ユニット側から延出されている電線Ｗと制御ユニットＤとを接続するようにしてもよく、このようにすることにより、ユニットの組み換え時の配線作業を容易に行うことができる。
【００２１】
さらに、この空調装置においては、送風機ユニットＢの筐体３２の底板（筐体３１の天板を兼用）側及び筐体３２の天板（筐体３３の底板を兼用）側には、通気口Ｈａ、Ｈｂを形成するようにしている。
このうち、送風機ユニットＢの筐体３２の底板側に形成した通気口Ｈａは、図４に示すように、送風機ユニットＢの筐体３２の底板に形成した環状の突条部３２ｃと、冷凍機ユニットＡの筐体３１に形成した通気口３１ｂとを、パッキン３１ｃを介して、嵌合することにより接続するようにしている。
また、送風機ユニットＢの筐体３２の天板側に形成した通気口Ｈｂは、図５に示すように、送風機ユニットＢの送風機６の排気口のフランジと、ヒータユニットＣの筐体３３の底板に形成されている通気口３３ａとを、断面矩形の管状のダクト６ａ及びゴムフランジ６ｂを介して接続するようにしている。
この場合、接続具となるボルト等の操作は、ビス等の金具によって開閉可能に構成した各ユニットを構成する筐体の側板、例えば、筐体３１、３２の側板３１ａ、３２ａ、３２ｂ（図２（ａ）参照）を開いて行うことができる。
これにより、ユニット組み換え後において、空気吸入口１から冷却コイル４により冷却しながら取り入れた外気を、下流側に配設した電気ヒータ５によって精密に設定温度に調節し、空気排出口２から排出することができるようにしている（図２（ｂ）の一点鎖線Ａｒ参照）。
【００２２】
以上、本発明の空調装置について、その実施例に基づいて説明したが、本発明は上記実施例に記載した構成に限定されるものではなく、例えば、加湿器をユニット化して空調装置に搭載することを可能にする等、その趣旨を逸脱しない範囲において適宜その構成を変更することができる。
【産業上の利用可能性】
【００２３】
本発明の空調装置は、仕様変更や設計変更がユニット毎に可能であるとともに、同時進行の並行作業による納期短縮が可能であるため、多品種少量生産やコストダウンが容易であり、このような要請のある空調装置に好適に用いることができる。
【図面の簡単な説明】
【００２４】
【図１】本発明の空調装置の一実施例を示す断面図である。
【図２】同ユニット同士の接合構造を示す説明図で、（ａ）は冷凍機ユニットと送風機ユニットの接合構造を示す説明図、（ｂ）は空調装置の全体断面図である。
【図３】（ａ）は図２（ａ）のＸ部分、（ｂ）は同Ｙ部分、（ｃ）は同Ｚ部分の拡大図である。
【図４】送風機ユニットの筐体の底板側に形成した通気口を示し、（ａ）は組み立て方法を示す説明図、（ｂ）は組み立てた状態を示す断面図である。
【図５】送風機ユニットの筐体の天板側に形成した通気口を示し、（ａ）は平面図、（ｂ）は組み立て方法を示す説明図である。
【図６】従来の空調装置の一例を示す断面図である。
【符号の説明】
【００２５】
１    空気吸入口
２    空気排出口
３    筐体
３１  下部筐体
３２  中間部筐体
３３  上部筐体
４    冷却コイル
５    電気ヒータ
６    送風機
７    冷凍機
８１ａ、８１ｂ、８２ａ、８２ｂ  枠部材
８３  共通の枠部材
８４  外縁用枠部材
９    ボルト・ナット
Ａ    冷凍機ユニット
Ｂ    送風機ユニット
Ｃ    ヒータユニット
Ｄ    制御ユニット
【図１】
2007271253.tif 000003
【図２】
2007271253.tif 000004
【図３】
2007271253.tif 000005
【図４】
2007271253.tif 000006
【図５】
2007271253.tif 000007
【図６】
2007271253.tif 000008